【手続補正書】
【提出日】平成16年6月10日(2004.6.10)
【手続補正１】
【補正対象書類名】明細書
【補正対象項目名】発明の名称
【補正方法】変更
【補正の内容】
【発明の名称】配向材料、配向膜、液晶パネルおよび液晶表示装置
【手続補正２】
【補正対象書類名】明細書
【補正対象項目名】特許請求の範囲
【補正方法】変更
【補正の内容】
【特許請求の範囲】
【請求項１】
光安定化剤を含むことを特徴とする配向材料。
【請求項２】
前記光安定化剤は、平均分子量が２５０〜３０００である請求項１に記載の配向材料。
【請求項３】
前記光安定化剤は、フェノール系化合物、芳香族アミン系化合物、サルファイド系化合物、リン系化合物、サリシレート系化合物、ベンゾフェノン系化合物、ベンゾトリアゾール系化合物、ヒンダートアミン系化合物、Ｎｉ系化合物、シアノアクリレート系化合物、オキザリックアシッドアニリド系化合物、シュウ酸誘導体、サリチル酸誘導体、ヒドラジド誘導体のうち少なくとも１種を含むものである請求項１または２に記載の配向材料。
【請求項４】
前記光安定化剤は、金属イオンを除去したものである請求項１ないし３のいずれかに記載の配向材料。
【請求項５】
前記配向材料における金属イオン濃度は、５ｐｐｍ以下である請求項１ないし４のいずれかに記載の配向材料。
【請求項６】
前記配向材料における前記光安定化剤の含有量は、５ｗｔ％以下である請求項１ないし５のいずれかに記載の配向材料。
【請求項７】
前記配向材料は、主としてポリイミドまたはポリアミドイミドで構成されたものである請求項１ないし６のいずれかに記載の配向材料。
【請求項８】
請求項１ないし７のいずれかに記載の配向材料で形成された配向膜。
【請求項９】
液晶層と、該液晶層に隣接して配設された配向膜とを有する液晶パネルであって、
前記配向膜のうち少なくとも一方は、請求項８記載の配光膜であることを特徴とする液晶パネル。
【請求項１０】
請求項９に記載の液晶パネルは、光源からの光を入射させて用いることを特徴とする液晶パネル。
【請求項１１】
少なくとも、前記液晶層の光が入射する面側に設置された前記配向膜中に前記光安定化剤が含まれることを特徴とする請求項１０に記載の液晶パネル。
【請求項１２】
前記配向膜の平均厚さが０．０２〜０．１２μｍである請求項９ないし１１のいずれかに記載の液晶パネル。
【請求項１３】
前記配向膜の前記液晶層と対向する面とは反対の面側に、導電膜を有する請求項９ないし１２のいずれかに記載の液晶パネル。
【請求項１４】
前記配向膜のうちの一方について、前記液晶層と対向する面とは反対の面側に、マイクロレンズ基板が配設された請求項９ないし１３のいずれかに記載の液晶パネル。
【請求項１５】
前記マイクロレンズ基板の前記液晶層と対向する面側に、ブラックマトリックスと、該ブラックマトリックスを覆う導電膜とが設けられた請求項１４に記載の液晶パネル。
【請求項１６】
画素電極を備えた液晶駆動基板を有する請求項９ないし１５のいずれかに記載の液晶パネル。
【請求項１７】
前記液晶駆動基板は、マトリックス状に配設された前記画素電極と、前記画素電極に接続された薄膜トランジスタとを有するＴＦＴ基板である請求項１６に記載の液晶パネル。
【請求項１８】
請求項９ないし１７のいずれかに記載の液晶パネルを備えたことを特徴とする液晶表示装置。
【請求項１９】
請求項９ないし１７のいずれかに記載の液晶パネルを備えたライトバルブを有し、該ライトバルブを少なくとも１個用いて画像を投射することを特徴とする液晶表示装置。
【請求項２０】
画像を形成する赤色、緑色および青色に対応した３つのライトバルブと、光源と、該光源からの光を赤色、緑色および青色の光に分離し、前記各光を対応する前記ライトバルブに導く色分離光学系と、前記各画像を合成する色合成光学系と、前記合成された画像を投射する投射光学系とを有する液晶表示装置であって、
前記ライトバルブは、請求項９ないし１７のいずれかに記載の液晶パネルを備えたことを特徴とする液晶表示装置。
【手続補正３】
【補正対象書類名】明細書
【補正対象項目名】０００１
【補正方法】変更
【補正の内容】
【０００１】
【発明の属する技術分野】
本発明は、配向材料、配向膜、液晶パネルおよび液晶表示装置に関するものである。
【手続補正４】
【補正対象書類名】明細書
【補正対象項目名】０００６
【補正方法】変更
【補正の内容】
【０００６】
【発明が解決しようとする課題】
本発明の目的は、耐光性に優れる配向材料、配向膜、液晶パネルおよび液晶表示装置を提供することにある。
【手続補正５】
【補正対象書類名】明細書
【補正対象項目名】０００７
【補正方法】変更
【補正の内容】
【０００７】
【課題を解決するための手段】
このような目的は、下記の本発明により達成される。
【手続補正６】
【補正対象書類名】明細書
【補正対象項目名】０００８
【補正方法】変更
【補正の内容】
【０００８】
本発明の配向材料は、光安定化剤を含むものであることを特徴とする。
【手続補正７】
【補正対象書類名】明細書
【補正対象項目名】０００９
【補正方法】変更
【補正の内容】
【０００９】
本発明の配向材料に含まれる安定化剤は、平均分子量が２５０〜３０００であることを特徴とする。
【手続補正８】
【補正対象書類名】明細書
【補正対象項目名】００１０
【補正方法】変更
【補正の内容】
【００１０】
本発明の配向材料に含まれる安定化剤は、フェノール系化合物、芳香族アミン系化合物、サルファイド系化合物、リン系化合物、サリシレート系化合物、ベンゾフェノン系化合物、ベンゾトリアゾール系化合物、ヒンダートアミン系化合物、Ｎｉ系化合物、シアノアクリレート系化合物、オキザリックアシッドアニリド系化合物、シュウ酸誘導体、サリチル酸誘導体、ヒドラジド誘導体のうち少なくとも１種を含むものであることを特徴とする。
【手続補正９】
【補正対象書類名】明細書
【補正対象項目名】００１１
【補正方法】変更
【補正の内容】
【００１１】
本発明の配向材料に含まれる安定化剤は、金属イオンを除去したものであることを特徴とする。
【手続補正１０】
【補正対象書類名】明細書
【補正対象項目名】００１２
【補正方法】変更
【補正の内容】
【００１２】
本発明の配向材料における金属イオン濃度は、５ｐｐｍ以下であることを特徴とする。
【手続補正１１】
【補正対象書類名】明細書
【補正対象項目名】００１３
【補正方法】変更
【補正の内容】
【００１３】
本発明の配向材料における金属イオン濃度は、５ｐｐｍ以下であることを特徴とする。
【手続補正１２】
【補正対象書類名】明細書
【補正対象項目名】００１４
【補正方法】変更
【補正の内容】
【００１４】
本発明の配向材料における前記光安定化剤の含有量は、５ｗｔ％以下であることを特徴とする。
【手続補正１３】
【補正対象書類名】明細書
【補正対象項目名】００１５
【補正方法】変更
【補正の内容】
【００１５】
本発明の配向材料は、主としてポリイミドまたはポリアミドイミドで構成されたものであることを特徴とする。
【手続補正１４】
【補正対象書類名】明細書
【補正対象項目名】００１６
【補正方法】変更
【補正の内容】
【００１６】
本発明の配向膜は、前記配向材料で形成されたことを特徴とする。
また、本発明の液晶パネルは、液晶層と、該液晶層に隣接して配設された配向膜とを有する液晶パネルであって、配向膜のうち少なくとも一方は、前記の配光膜であることを特徴とする。
また、本発明の液晶パネルは、光源からの光を入射させて用いることを特徴とする。
また、本発明の液晶パネルは、少なくとも、前記液晶層の光が入射する面側に設置された前記配向膜中に前記光安定化剤が含まれることを特徴とする。
【手続補正１５】
【補正対象書類名】明細書
【補正対象項目名】００１７
【補正方法】変更
【補正の内容】
【００１７】
本発明の液晶パネルは、配向膜の平均厚さが０．０２〜０．１２μｍであることを特徴とする。
【手続補正１６】
【補正対象書類名】明細書
【補正対象項目名】００１８
【補正方法】変更
【補正の内容】
【００１８】
本発明の液晶パネルは、配向膜の前記液晶層と対向する面とは反対の面側に、導電膜を有することを特徴とする。
【手続補正１７】
【補正対象書類名】明細書
【補正対象項目名】００１９
【補正方法】変更
【補正の内容】
【００１９】
本発明の液晶パネルは、前記配向膜のうちの一方について、前記液晶層と対向する面とは反対の面側に、マイクロレンズ基板が配設されたことを特徴とする。
【手続補正１８】
【補正対象書類名】明細書
【補正対象項目名】００２０
【補正方法】変更
【補正の内容】
【００２０】
本発明の液晶パネルは、マイクロレンズ基板の前記液晶層と対向する面側に、ブラックマトリックスと、該ブラックマトリックスを覆う導電膜とが設けられたことを特徴とする。
【手続補正１９】
【補正対象書類名】明細書
【補正対象項目名】００２１
【補正方法】変更
【補正の内容】
【００２１】
本発明の液晶パネルは、画素電極を備えた液晶駆動基板を有することを特徴とする。
【手続補正２０】
【補正対象書類名】明細書
【補正対象項目名】００２２
【補正方法】変更
【補正の内容】
【００２２】
本発明の液晶パネルは、液晶駆動基板が、マトリックス状に配設された前記画素電極と、前記画素電極に接続された薄膜トランジスタとを有するＴＦＴ基板であることを特徴とする。
【手続補正２１】
【補正対象書類名】明細書
【補正対象項目名】００２３
【補正方法】変更
【補正の内容】
【００２３】
本発明の液晶表示装置は、前記液晶パネルを備えたことを特徴とする。
【手続補正２２】
【補正対象書類名】明細書
【補正対象項目名】００２４
【補正方法】変更
【補正の内容】
【００２４】
本発明の液晶表示装置は、前記液晶パネルを備えたライトバルブを有し、該ライトバルブを少なくとも１個用いて画像を投射することを特徴とする。
【手続補正２３】
【補正対象書類名】明細書
【補正対象項目名】００２５
【補正方法】変更
【補正の内容】
【００２５】
本発明の液晶表示装置は、画像を形成する赤色、緑色および青色に対応した３つのライトバルブと、光源と、該光源からの光を赤色、緑色および青色の光に分離し、前記各光を対応する前記ライトバルブに導く色分離光学系と、前記各画像を合成する色合成光学系と、前記合成された画像を投射する投射光学系とを有する液晶表示装置であって、
前記ライトバルブは、前記液晶パネルを備えたことを特徴とする。
【手続補正２４】
【補正対象書類名】明細書
【補正対象項目名】００２６
【補正方法】変更
【補正の内容】
【００２６】
【発明の実施の形態】
以下、本発明の配向材料、配向膜、液晶パネルおよび液晶表示装置について、添付図面を参照しつつ詳細に説明する。
【手続補正２５】
【補正対象書類名】明細書
【補正対象項目名】０１６３
【補正方法】変更
【補正の内容】
【０１６３】
【発明の効果】
以上述べたように、本発明によれば、耐光性に優れた配向材料、配向膜、液晶パネルおよび液晶表示装置を提供することができる。